(57)【要約】【課題】ＰＣに内蔵されたスピーカを有効的に活用し、情報端末における音声信号の品質を向上させる。【解決手段】情報端末は、情報処理装置が自身の情報処理に基づく音声信号を第２の出力手段を用いて出力する通常出力状態でないと判断すると、少なくとも第２の出力手段に対して電源を供給すると共に、通常出力状態でなくても情報端末との間で双方向の通信を行う第２の通信手段を用いて受信した音声信号を第２の出力手段を用いて出力する代行出力状態に移行させる移行信号を、情報処理装置との間で双方向の通信を行う第１の通信手段を用いて送信する。情報処理装置は、第２の通信手段を用いて移行信号を受信することにより代行出力状態に移行させ、情報端末に対してその旨通知する。情報端末は、情報処理装置が代行出力状態に移行した旨が通知されると、第１の通信手段を用いて情報処理装置に音声信号を送信する。【選択図】図３
2014197327.tif 000002
【特許請求の範囲】
【請求項１】
音声信号を出力する第１の出力手段を有する情報端末と、音声信号を出力する第２の出力手段を有する情報処理装置とを含む情報処理システムであって、
前記情報端末は、
前記情報処理装置が自身の情報処理に基づく前記音声信号を前記第２の出力手段を用いて出力する通常出力状態であるか否かを判断する判断手段と、
前記判断手段により前記情報処理装置が前記通常出力状態でないと判断されると、少なくとも前記第２の出力手段に対して電源を供給すると共に、自身が前記通常出力状態でなくても前記情報端末との間で双方向の通信を行う第２の通信手段を用いて受信した音声信号を前記第２の出力手段を用いて出力する代行出力状態に前記情報処理装置を移行させる移行信号を、前記情報処理装置との間で双方向の通信を行う第１の通信手段を用いて前記情報処理装置に対して送信する送信手段と、を含み、
前記情報処理装置は、
前記第２の通信手段を用いて前記移行信号を受信する受信手段と、
前記移行信号を受信することにより前記情報処理装置を前記代行出力状態に移行させる移行手段と、
前記情報処理装置が前記代行出力状態に移行すると、前記情報端末に対してその旨通知する通知手段と、を含み、
前記情報端末は、
前記通知手段により前記情報処理装置が前記代行出力状態に移行した旨が通知されると、前記第１の通信手段を用いて前記情報処理装置に前記音声信号を送信することを特徴とする情報処理システム。
【請求項２】
音声信号を出力する第２の出力手段を有する情報処理装置と通信を行い、音声信号を出力する第１の出力手段を有する情報端末であって、
前記情報処理装置が自身の情報処理に基づく前記音声信号を前記第２の出力手段を用いて出力する通常出力状態であるか否かを判断する判断手段と、
前記判断手段により前記情報処理装置が前記通常出力状態でないと判断されると、少なくとも前記第２の出力手段に対して電源を供給すると共に、自身が前記通常出力状態でなくても前記情報端末との間で双方向の通信を行う第２の通信手段を用いて受信した音声信号を前記第２の出力手段を用いて出力する代行出力状態に前記情報処理装置を移行させる移行信号を、前記情報処理装置との間で双方向の通信を行う第１の通信手段を用いて前記情報処理装置に対して送信する送信手段と、を含み、
前記情報処理装置が前記代行出力状態に移行した旨が通知されると、前記第１の通信手段を用いて前記情報処理装置に前記音声信号を送信することを特徴とする情報端末。
【請求項３】
音声信号を出力する第１の出力手段を有する情報端末と通信を行い、音声信号を出力する第２の出力手段を有する情報処理装置であって、
前記情報端末が送信する所定の移行信号を、前記情報処理装置が自身の情報処理に基づく前記音声信号を前記第２の出力手段を用いて出力する通常出力状態でなくても前記情報端末との間で双方向の通信を行う第２の通信手段を用いて受信する受信手段と、
前記移行信号を受信することにより前記情報処理装置を前記第２の通信手段を用いて受信した音声信号を前記第２の出力手段を用いて出力する代行出力状態に移行させる移行手段と、
前記情報処理装置が前記代行出力状態に移行すると、前記情報端末に対してその旨通知する通知手段と、を含み、
前記通知手段が前記情報端末に対して前記代行出力状態に移行した旨を通知すると、前記第２の通信手段を用いて受信する音声信号を前記第２の出力手段から出力することを特徴とする情報処理装置。
【請求項４】
音声信号を出力する第１の出力手段を有する情報端末と、音声信号を出力する第２の出力手段を有する情報処理装置とを含む情報処理システムの制御方法であって、
前記情報端末は、
前記情報処理装置が自身の情報処理に基づく前記音声信号を前記第２の出力手段を用いて出力する通常出力状態であるか否かを判断する工程と、
前記判断する工程により前記情報処理装置が前記通常出力状態でないと判断されると、少なくとも前記第２の出力手段に対して電源を供給すると共に、自身が前記通常出力状態でなくても前記情報端末との間で双方向の通信を行う第２の通信手段を用いて受信した音声信号を前記第２の出力手段を用いて出力する代行出力状態に前記情報処理装置を移行させる移行信号を、前記情報処理装置との間で双方向の通信を行う第１の通信手段を用いて前記情報処理装置に対して送信する工程と、を含み、
前記情報処理装置は、
前記第２の通信手段を用いて前記移行信号を受信する工程と、
前記移行信号を受信することにより前記情報処理装置を前記代行出力状態に移行させる工程と、
前記情報処理装置が前記代行出力状態に移行すると、前記情報端末に対してその旨通知する工程と、を含み、
前記情報端末は、
前記通知する工程により前記情報処理装置が前記代行出力状態に移行した旨が通知されると、前記第１の通信手段を用いて前記情報処理装置に前記音声信号を送信する工程と、
を含むことを特徴とする制御方法。
【請求項５】
音声信号を出力する第２の出力手段を有する情報処理装置と通信を行い、音声信号を出力する第１の出力手段を有する情報端末のコンピュータに、
前記情報処理装置が自身の情報処理に基づく前記音声信号を前記第２の出力手段を用いて出力する通常出力状態であるか否かを判断する処理と、
前記判断する処理により前記情報処理装置が前記通常出力状態でないと判断されると、少なくとも前記第２の出力手段に対して電源を供給すると共に、自身が前記通常出力状態でなくても前記情報端末との間で双方向の通信を行う第２の通信手段を用いて受信した音声信号を前記第２の出力手段を用いて出力する代行出力状態に前記情報処理装置を移行させる移行信号を、前記情報処理装置との間で双方向の通信を行う第１の通信手段を用いて前記情報処理装置に対して送信する処理と、
前記情報処理装置が前記代行出力状態に移行した旨が通知されると、前記第１の通信手段を用いて前記情報処理装置に前記音声信号を送信する処理と、
を実現させるためのプログラム。
【請求項６】
音声信号を出力する第１の出力手段を有する情報端末と通信を行い、音声信号を出力する第２の出力手段を有する情報処理装置のコンピュータに、
前記情報端末が送信する所定の移行信号を、前記情報処理装置が自身の情報処理に基づく前記音声信号を前記第２の出力手段を用いて出力する通常出力状態でなくても前記情報端末との間で双方向の通信を行う第２の通信手段を用いて受信する処理と、
前記移行信号を受信することにより前記情報処理装置を前記第２の通信手段を用いて受信した音声信号を前記第２の出力手段を用いて出力する代行出力状態に移行させる処理と、
前記情報処理装置が前記代行出力状態に移行すると、前記情報端末に対してその旨通知する処理と、
前記通知する処理により前記情報端末に対して前記代行出力状態に移行した旨を通知すると、前記第２の通信手段を用いて受信する音声信号を前記第２の出力手段から出力する
処理と、
を実現させるためのプログラム。
【発明の詳細な説明】
【技術分野】
【０００１】
本発明は、情報処理システム、情報端末、情報処理装置、制御方法、及びプログラムに関する。
【背景技術】
【０００２】
携帯電話やスマートフォンに代表される情報端末の爆発的な普及に伴い、インターネット等からダウンロードした音楽データ等を再生することによって聴取するといった通話以外の用途で、情報端末が使用される機会が増加している。そして、このような通話以外の用途で情報端末を使用するときは、一般的に、情報端末に設けられているヘッドホン端子にヘッドホンを外部接続することにより、音楽データ等を再生することによって聴取することが行われている。その一方で、携帯電話やスマートフォンは、さらなる小型軽量化が図られている。
【０００３】
これに対して、オフィスや自宅等では、デスクトップ型のパーソナルコンピュータ（以下、ＰＣともいう。）が使われるのが一般的である。デスクトップ型のＰＣを用いてインターネット等からダウンロードした音楽データの再生を行う場合には、デスクトップＰＣに搭載されたスピーカを用いて音楽等の再生出力が行われる。
【０００４】
そして、近年、スマートフォンの流行がプライベートな環境においても浸透し、自宅等にいるときにおいても、従来のデスクトップ型のＰＣを起動してインターネット等から音楽データをダウンロードすることに代えて、又はデスクトップ型のＰＣを起動してインターネット等から音楽データをダウンロードすることに加えて、従来の音楽再生専用機を使用する代わりにスマートフォンを使用してインターネット等から音楽データをダウンロードする機会が増加している。また、自宅やオフィス等においても、デスクトップ型のＰＣとは別に、従来の携帯電話の代わりとしてスマートフォンを使用する人々が増えてきている。
【先行技術文献】
【特許文献】
【０００５】
【特許文献１】特表２０１０−５３０５７２号公報
【発明の概要】
【発明が解決しようとする課題】
【０００６】
このような背景の下、スマートフォンを用いてインターネット等からダウンロードした音楽データ等を再生する際には、スマートフォンに設けられたヘッドホン端子にヘッドホンを外部接続することにより、音楽データ等を再生することになるが、ヘッドホンで音楽を再生するといった制約上、音量や音質等に一定の限度があるという問題点があった。その一方で、デスクトップ型のＰＣは、未使用状態の場合にはＰＣの一部の機能であるスピーカを含めたすべてのデバイスが電源オフ状態となるため、すぐ近くに未使用状態のスピーカが存在しながら、これを有効に使う手立てがないという問題があった。
【０００７】
このように、電源オフ状態で未使用のスピーカがすぐ傍にありながら、音量や音質に一定の限度があるヘッドホンを用いて音楽を聴かなければならず、特に、近年発売されているデスクトップ型のＰＣには、音質を重視した高性能のスピーカが搭載されているという実情がありながら、スマートフォンにヘッドホンを接続して音楽等の音声信号を聴取しなければならず、電源オフ状態で未使用のデスクトップ型のＰＣの高性能スピーカを有効に活用することができないという問題があった。
【０００８】
そして、特許文献１には、スマートフォンからの出力の代わりにＰＣのスピーカを使用する技術が開示されている。しかしながら、単にスマートフォンからの出力の代わりにＰＣのスピーカを使用することが記載されているだけであって、ＰＣが電源オフ時であって未使用状態で存在するＰＣの一部の機能である高性能スピーカを有効的に活用するといった技術思想は一切開示されていない。
【０００９】
そこで本発明は、上記従来の問題点に鑑みてなされたもので、ＰＣに搭載された高性能スピーカを有効的に活用し、情報端末から出力される音声信号の品質を向上させ、ＰＣの一部の機能を有効的に活用することが可能な情報処理システム、情報端末、情報処理装置、制御方法、及びプログラムを提供することを目的とする。
【課題を解決するための手段】
【００１０】
上記課題を解決するため、請求項１に記載の本発明における情報処理システムは、音声信号を出力する第１の出力手段を有する情報端末と、音声信号を出力する第２の出力手段を有する情報処理装置とを含む情報処理システムであって、前記情報端末は、前記情報処理装置が自身の情報処理に基づく前記音声信号を前記第２の出力手段を用いて出力する通常出力状態であるか否かを判断する判断手段と、前記判断手段により前記情報処理装置が前記通常出力状態でないと判断されると、少なくとも前記第２の出力手段に対して電源を供給すると共に、自身が前記通常出力状態でなくても前記情報端末との間で双方向の通信を行う第２の通信手段を用いて受信した音声信号を前記第２の出力手段を用いて出力する代行出力状態に前記情報処理装置を移行させる移行信号を、前記情報処理装置との間で双方向の通信を行う第１の通信手段を用いて前記情報処理装置に対して送信する送信手段と、を含み、前記情報処理装置は、前記第２の通信手段を用いて前記移行信号を受信する受信手段と、前記移行信号を受信することにより前記情報処理装置を前記代行出力状態に移行させる移行手段と、前記情報処理装置が前記代行出力状態に移行すると、前記情報端末に対してその旨通知する通知手段と、を含み、前記情報端末は、前記通知手段により前記情報処理装置が前記代行出力状態に移行した旨が通知されると、前記第１の通信手段を用いて前記情報処理装置に前記音声信号を送信することを特徴とする。
【００１１】
また、上記課題を解決するため、請求項２に記載の本発明における情報端末は、音声信号を出力する第２の出力手段を有する情報処理装置と通信を行い、音声信号を出力する第１の出力手段を有する情報端末であって、前記情報処理装置が自身の情報処理に基づく前記音声信号を前記第２の出力手段を用いて出力する通常出力状態であるか否かを判断する判断手段と、前記判断手段により前記情報処理装置が前記通常出力状態でないと判断されると、少なくとも前記第２の出力手段に対して電源を供給すると共に、自身が前記通常出力状態でなくても前記情報端末との間で双方向の通信を行う第２の通信手段を用いて受信した音声信号を前記第２の出力手段を用いて出力する代行出力状態に前記情報処理装置を移行させる移行信号を、前記情報処理装置との間で双方向の通信を行う第１の通信手段を用いて前記情報処理装置に対して送信する送信手段と、を含み、前記情報処理装置が前記代行出力状態に移行した旨が通知されると、前記第１の通信手段を用いて前記情報処理装置に前記音声信号を送信することを特徴とする。
【００１２】
さらに、上記課題を解決するため、請求項３に記載の本発明における情報処理装置は、音声信号を出力する第１の出力手段を有する情報端末と通信を行い、音声信号を出力する第２の出力手段を有する情報処理装置であって、前記情報端末が送信する所定の移行信号を、前記情報処理装置が自身の情報処理に基づく前記音声信号を前記第２の出力手段を用いて出力する通常出力状態でなくても前記情報端末との間で双方向の通信を行う第２の通信手段を用いて受信する受信手段と、前記移行信号を受信することにより前記情報処理装置を前記第２の通信手段を用いて受信した音声信号を前記第２の出力手段を用いて出力する代行出力状態に移行させる移行手段と、前記情報処理装置が前記代行出力状態に移行すると、前記情報端末に対してその旨通知する通知手段と、を含み、前記通知手段が前記情報端末に対して前記代行出力状態に移行した旨を通知すると、前記第２の通信手段を用いて受信する音声信号を前記第２の出力手段から出力することを特徴とする。
【００１３】
また、上記課題を解決するため、請求項４に記載の本発明における制御方法は、音声信号を出力する第１の出力手段を有する情報端末と、音声信号を出力する第２の出力手段を有する情報処理装置とを含む情報処理システムの制御方法であって、前記情報端末は、前記情報処理装置が自身の情報処理に基づく前記音声信号を前記第２の出力手段を用いて出力する通常出力状態であるか否かを判断する工程と、前記判断する工程により前記情報処理装置が前記通常出力状態でないと判断されると、少なくとも前記第２の出力手段に対して電源を供給すると共に、自身が前記通常出力状態でなくても前記情報端末との間で双方向の通信を行う第２の通信手段を用いて受信した音声信号を前記第２の出力手段を用いて出力する代行出力状態に前記情報処理装置を移行させる移行信号を、前記情報処理装置との間で双方向の通信を行う第１の通信手段を用いて前記情報処理装置に対して送信する工程と、を含み、前記情報処理装置は、前記第２の通信手段を用いて前記移行信号を受信する工程と、前記移行信号を受信することにより前記情報処理装置を前記代行出力状態に移行させる工程と、前記情報処理装置が前記代行出力状態に移行すると、前記情報端末に対してその旨通知する工程と、を含み、前記情報端末は、前記通知する工程により前記情報処理装置が前記代行出力状態に移行した旨が通知されると、前記第１の通信手段を用いて前記情報処理装置に前記音声信号を送信する工程と、を含むことを特徴とする。
【００１４】
そして、上記課題を解決するため、請求項５に記載の本発明におけるプログラムは、音声信号を出力する第２の出力手段を有する情報処理装置と通信を行い、音声信号を出力する第１の出力手段を有する情報端末のコンピュータに、前記情報処理装置が自身の情報処理に基づく前記音声信号を前記第２の出力手段を用いて出力する通常出力状態であるか否かを判断する処理と、前記判断する処理により前記情報処理装置が前記通常出力状態でないと判断されると、少なくとも前記第２の出力手段に対して電源を供給すると共に、自身が前記通常出力状態でなくても前記情報端末との間で双方向の通信を行う第２の通信手段を用いて受信した音声信号を前記第２の出力手段を用いて出力する代行出力状態に前記情報処理装置を移行させる移行信号を、前記情報処理装置との間で双方向の通信を行う第１の通信手段を用いて前記情報処理装置に対して送信する処理と、前記情報処理装置が前記代行出力状態に移行した旨が通知されると、前記第１の通信手段を用いて前記情報処理装置に前記音声信号を送信する処理と、を実現させることを特徴とする。
【００１５】
また、上記課題を解決するため、請求項６に記載の本発明におけるプログラムは、音声信号を出力する第１の出力手段を有する情報端末と通信を行い、音声信号を出力する第２の出力手段を有する情報処理装置のコンピュータに、前記情報端末が送信する所定の移行信号を、前記情報処理装置が自身の情報処理に基づく前記音声信号を前記第２の出力手段を用いて出力する通常出力状態でなくても前記情報端末との間で双方向の通信を行う第２の通信手段を用いて受信する処理と、前記移行信号を受信することにより前記情報処理装置を前記第２の通信手段を用いて受信した音声信号を前記第２の出力手段を用いて出力する代行出力状態に移行させる処理と、前記情報処理装置が前記代行出力状態に移行すると、前記情報端末に対してその旨通知する処理と、前記通知する処理により前記情報端末に対して前記代行出力状態に移行した旨を通知すると、前記第２の通信手段を用いて受信する音声信号を前記第２の出力手段から出力する処理と、を実現させることを特徴とする。
【発明の効果】
【００１６】
本発明によれば、ＰＣに搭載された高性能スピーカを有効的に活用し、情報端末から出力される音声信号の品質を向上させ、ＰＣの一部の機能を有効的に活用することが可能な情報処理システム、情報端末、情報処理装置、制御方法、及びプログラムが得られる。
【図面の簡単な説明】
【００１７】
【図１】本発明の実施形態における情報処理システムについて説明する構成図である。
【図２】本発明の実施形態における情報処理システムの構成について説明する概略ブロック図である。
【図３】本発明の実施形態における情報処理システムを構成する（ａ）情報処理装置、（ｂ）情報端末の動作を説明するためのフローチャート図である。
【発明を実施するための形態】
【００１８】
次に、本発明を実施するための形態について図面を参照して詳細に説明する。なお、各図中、同一又は相当する部分には同一の符号を付しており、その重複説明は適宜に簡略化乃至省略する。まず、本発明の実施形態における情報処理システムの構成について説明する。図１は、本発明の実施形態における情報処理システムについて説明する構成図である。図１を参照すると、本発明の実施形態における情報処理システムは、デスクトップ型ＰＣ等の情報処理装置１１とスマートフォン等の情報端末１２とから構成される。
【００１９】
情報処理装置１１は、ＬＣＤ（Liquid Crystal Display）等のディスプレイ１１５とスピーカ１１１等の出力手段を含んで構成されている。情報端末１２は、ＬＣＤ等のディスプレイ１２５と、ヘッドホン１３０等の出力手段を接続するためのヘッドホン端子１２９を含んで構成されている。そして、情報処理装置１１と情報端末１２とは、例えばブルートゥース（Bluetooth：登録商標）に代表されるような近距離無線通信を用いて双方向の通信が行われる。
【００２０】
次に、本発明の実施形態における情報処理システムの構成について説明する。図２は、本発明の実施形態における情報処理システムの構成について説明する概略ブロック図である。図２を参照すると、情報処理装置１１は、スピーカ１１１、マイク１１２、ＣＰＵ（Central Processing Unit）１１３、メモリ１１４、ディスプレイ１１５、キーボード１１６、通信手段としてのインタフェース１１７、及び切替部１１８を含んで構成される。また、情報端末１２は、スピーカ１２１、マイク１２２、ＣＰＵ１２３、メモリ１２４、ディスプレイ１２５、テンキー１２６、通信手段としてのインタフェース１２７、通信部１２８、及びヘッドホン１３０等の出力手段を接続するためのヘッドホン端子１２９を含んで構成される。
【００２１】
情報処理装置１１全体がシャットダウンされ、情報処理装置１１が未使用状態に移行すると、その機能の一部である出力手段としてのスピーカ１１１も未使用状態に移行する。情報処理装置１１が未使用状態であっても、情報処理装置１１のインタフェース１１７と、情報端末１２のインタフェース１２７との間では、上述したようなブルートゥース（Bluetooth）に代表されるような近距離無線通信を用いて双方向の通信が行われる。
【００２２】
情報端末１２の通信部１２８は、情報端末１２が通話や電子メール等の機能を実行するときに、インターネット等の公衆ネットワークに接続するためのものである。また、情報処理装置１１の切替部１１８は、後述するように、情報処理装置１１がシャットダウン状態、すなわち、スピーカ１１１を用いて音声信号を出力する通常出力状態でないときであっても、情報端末１２から送信される移行信号に基づいて、スピーカ１１１を、情報端末１２のヘッドホン端子１２９に接続されるヘッドホン１３０の代わりとして起動状態に移行させる信号をスピーカ１１１に対して出力するためのものである。この移行信号に基づいて、スピーカ１１１は、情報端末１２のヘッドホン端子１２９に接続される出力手段としてのヘッドホン１３０に代わって起動するのである。すなわち、情報端末１２のヘッドホン端子１２９に接続されるヘッドホン１３０から出力される音声信号を、情報処理装置１１に送信する状態、換言すれば、情報処理装置１１を、情報端末１２の代行出力状態に移行させるのである。なお、情報処理装置１１及び情報端末１２には、それぞれ図示しない電源部が設けられており、情報処理装置１１が通常出力状態でないときであっても、情報端末１２のインタフェース１２７から通信信号を受信することにより、スピーカ１１１に対して電源が供給される。
【００２３】
次に、本発明の実施形態における情報処理システムの動作について説明する。図３は、本発明の実施形態における情報処理システムを構成する（ａ）情報処理装置、（ｂ）情報端末の動作を説明するためのフローチャート図である。このフローチャート図は、情報処理装置１１がシャットダウン状態、すなわち起動状態でないときにおいても、情報端末１２からの起動信号により、情報端末１２のヘッドホン端子１２９に接続される出力手段としてのヘッドホン１３０の代わりに、情報処理装置１１のスピーカ１１１を出力手段として使用可能となることを想定している。
【００２４】
図３（ｂ）において、まず、ステップ（以下、「Ｓ」という。）３０６の処理では、情報端末１２自身が、インターネット等からダウンロードした音楽を再生する、いわゆる音声信号出力状態であるか否かが判断される。Ｓ３０６の処理において、情報端末１２自身が音声信号出力状態でない（Ｓ３０６：Ｎ）と判断されると、音声信号出力状態になるまで待機する。Ｓ３０６の処理において、情報端末１２自身が音声信号出力状態である（Ｓ３０６：Ｙ）と判断されると、Ｓ３０７の処理へ移行する。
【００２５】
Ｓ３０７の処理では、上述した近距離無線通信により、情報処理装置１１が通常出力状態であるか否かが判断される。この判断は、情報端末１２の通信手段としてのインタフェース１２７が、情報処理装置１１の通信手段としてのインタフェース１１７に対して、近距離無線通信を使って確認信号を送信し、これに対する応答信号を受信することによって行われる。情報処理装置１１が通常出力状態である（Ｓ３０７：Ｙ）と判断されると、処理を終了する。情報処理装置１１が通常出力状態でない（Ｓ３０７：Ｎ）と判断されると、Ｓ３０８の処理へ移行する。
【００２６】
Ｓ３０８の処理では、情報処理装置１１のスピーカ１１１を、情報端末１２のヘッドホン端子１２９に接続されるヘッドホン１３０の代わりとして起動させる移行信号を情報端末１２から情報処理装置１１に対して送信する。これは、情報端末１２の通信手段としてのインタフェース１２７が、情報処理装置１１の通信手段としてのインタフェース１１７に対して、近距離無線通信を使って、情報処理装置１１の出力手段としてのスピーカ１１１の電源をオン状態にする起動信号を送信することによって行われる。そして、Ｓ３０９の処理では、情報処理装置１１のスピーカ１１１が代行出力状態に移行すると、情報処理装置のスピーカ１１１から、情報端末１２で再生された音声信号が出力される。
【００２７】
次に、図３（ａ）において、Ｓ３０１の処理では、情報処理装置１１自身が通常出力状態であるか否かが判断される。情報処理装置１１自身が通常出力状態である（Ｓ３０１：Ｙ）と判断されると、処理を終了する。情報処理装置１１自身が通常出力状態でない（Ｓ３０１：Ｎ）と判断されると、Ｓ３０２の処理へ移行する。
【００２８】
Ｓ３０２の処理では、スピーカ１１１を、ヘッドホン端子１２９に接続されるヘッドホン１３０の代わりとして起動させる起動信号を、情報端末１２から受信する。Ｓ３０３の処理では、情報処理装置１１の切替部１１８が、スピーカ１１１に対して信号を出力することにより、情報処理装置１１自身のスピーカ１１１が起動される。このとき、情報処理装置１１全体としては起動していないが、情報処理装置１１の図示しない電源部から、スピーカ１１１に対して電源が供給され、情報処理装置１１が代行出力状態に移行する。
【００２９】
Ｓ３０４の処理では、情報処理装置１１自身のスピーカ１１１から音声信号が出力されたか否かが判断される。スピーカ１１１から出力されない（Ｓ３０４：Ｎ）と判断されると、出力がされるまで待機する。スピーカ１１１から出力された（Ｓ３０４：Ｙ）と判断されると、Ｓ３０５の処理へ移行する。
【００３０】
Ｓ３０５の処理では、情報処理装置のスピーカ１１１から、情報端末１２で再生された音声信号が出力される。すなわち、情報端末１２のヘッドホン端子１２９に接続されるヘッドホン１３０に代えて、情報処理装置１１のスピーカ１１１を用いた出力がなされる。これは、情報端末１２の通信手段としてのインタフェース１２７が、情報処理装置１１の通信手段としてのインタフェース１１７に対して、近距離無線通信を使って、音声信号を送信することによって行われる。
【００３１】
なお、図３に示した本発明の実施形態における情報処理システムの各動作フローは、コンピュータ上のプログラムに実行させることもできる。すなわち、図２の情報処理装置１１のＣＰＵ１１３、及び情報端末１２のＣＰＵ１２３が、ＲＯＭ（Read Only Memory）、ＲＡＭ（Random Access Memory）等に代表されるそれぞれのメモリ１１４、１２４に格納されたプログラムをロードし、プログラムの処理ステップが順次実行されることによって行われる。
【００３２】
このように、本発明によれば、ＰＣに搭載された高性能スピーカを有効的に活用し、情報端末から出力される音声信号の品質を向上させ、ＰＣの一部の機能を有効的に活用することが可能な情報処理システム、情報端末、情報処理装置、制御方法、及びプログラムを提供することができる。
【００３３】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００３４】
１１    情報処理装置
１２    情報端末
１１１、１２１    スピーカ
１１２、１２２    マイク
１１３、１２３    ＣＰＵ
１１４、１２４    メモリ
１１５、１２５    ディスプレイ
１１６    キーボード
１１７、１２７    インタフェース
１１８    切替部
１２６    テンキー
１２８    通信部
１２９    ヘッドホン端子
１３０    ヘッドホン
【図１】
2014197327.tif 000003
【図２】
2014197327.tif 000004
【図３】
2014197327.tif 000005